(57)【要約】      （修正有）【課題】様々な植木鉢を伸縮自在に覆うことができ、被覆対象の植木鉢の表面に特殊な形状を付与することで、外観上の統一を図ることができる植木鉢用カバーを提供する。【解決手段】植木鉢用カバー１０は、植木鉢３０、３１の少なくとも側面を覆い、シートの両端同士を繋げて無端の筒形状にしたカバーであって、シートの面には、シートの面を占めるように複数の隆起部位が形成され、隆起部位のそれぞれは、シートが縦方向または横方向のいずれか若しくは両方に引き延ばされると、引き延ばされる方向に広がって平たくなり、引き延ばしが解除されると元の隆起部位の形状に復元する。【選択図】図５
0003229673.tif 000002
【実用新案登録請求の範囲】
【請求項１】
植木鉢の少なくとも側面を覆うカバーであり、シートの両端同士を繋げて無端の筒形状にした植木鉢用カバーであって、
前記シートの面には、当該シートの面を占めるように複数の隆起部位が形成されており、
前記隆起部位のそれぞれは、前記シートが縦方向または横方向のいずれか若しくは両方に引き延ばされると、引き延ばされる方向に広がって平たくなり、当該引き延ばしが解除されると元の隆起部位の形状に復元することを特徴とする、植木鉢用カバー。
【請求項２】
前記隆起部位のそれぞれは、前記シートの局部を絞り出し、当該絞り出した形状で固定させることにより形成されることを特徴とする、請求項１に記載の植木鉢用カバー。
【請求項３】
前記植木鉢用カバーは、筒形状の側面で植木鉢の側面を覆った状態で、上下が開口しており、
当該開口を閉じるように付勢する弾性部材を有することを特徴とする、請求項１または２に記載の植木鉢用カバー。
【考案の詳細な説明】
【技術分野】
【０００１】
本考案は、様々な植木鉢を覆うための植木鉢用カバーに関する。
【背景技術】
【０００２】
植木鉢をカバーで覆って外観上の見栄えをよくし、インテリア性を高めることが行われている。このような植木鉢用カバーにおいて、例えば以下の文献では、様々なサイズに適合するために伸縮自在となるカバーが開示されている。
【先行技術文献】
【特許文献】
【０００３】
【特許文献１】特表２００６−５２６４４０号公報
【考案の概要】
【考案が解決しようとする課題】
【０００４】
植木鉢用カバーは、上述のようにインテリア性を高めるために用いること以外にも、複数の植木鉢を配置する場合にその外観デザインを統一するためにも用いられる。この点につき、既存の観葉植物に加え、別のショップで新たに観葉植物を購入し、同じ室内に配置するシーンを想定して説明する。
【０００５】
元々所持している既存の観葉植物の植木鉢と、別のショップで新たに購入した観葉植物の植木鉢とでは、通常は外観上相違している。このような外観上相違している植木鉢を同じ室内に配置すると、デザインの統一性が無いため、雑多となってしまう。
【０００６】
植木鉢の統一性を持たせるため、既存の植木鉢と同種のものを購入しようとしても、植木鉢自体の製造が終了していたり、好適なサイズが品切れであったりなどの理由で購入できないことがある。また、たとえ購入できたとしても、植え替え作業の手間が発生するとともに、植え替えにより余った植木鉢については不要となるため処分することとなり、無駄となる。
【０００７】
上述の特許文献１に記載の技術を用いて、例えば同じ色のカバーを複数用意して、これらを用いて統一を図ることも可能である。しかしながら、統一性に関しては色を合わせる程度が限界であり、限定的なものとなる。
【０００８】
本考案は、様々な植木鉢を覆うことができる伸縮自在の植木鉢用カバーを提供するとともに、被覆対象の植木鉢の表面に特殊な形状を付与することで、外観上の統一を図ることができる植木鉢用カバーを提供することを目的とする。
【課題を解決するための手段】
【０００９】
本考案に係る植木鉢用カバーは、植木鉢の少なくとも側面を覆うカバーであり、シートの両端同士を繋げて無端の筒形状にした植木鉢用カバーであって、シートの面には、当該シートの面を占めるように複数の隆起部位が形成されており、隆起部位のそれぞれは、シートが縦方向または横方向のいずれか若しくは両方に引き延ばされると、引き延ばされる方向に広がって平たくなり、当該引き延ばしが解除されると元の隆起部位の形状に復元することを特徴とする。
また、隆起部位のそれぞれは、シートの局部を絞り出し、当該絞り出した形状で固定させることにより形成されることを特徴とする。
上述に加え、植木鉢用カバーは、筒形状の側面で植木鉢の側面を覆った状態で、上下が開口しており、当該開口を閉じるように付勢する弾性部材を有することを特徴とする。
【考案の効果】
【００１０】
本考案により、様々な植木鉢を覆うことができる伸縮自在の植木鉢用カバーを提供するとともに、被覆対象の植木鉢の表面に特殊な形状を付与することができる植木鉢用カバーを提供することができる。
【図面の簡単な説明】
【００１１】
【図１】実施形態の植木鉢用カバーの側面図である。
【図２】実施形態の植木鉢用カバーを斜め上方から視認した場合の斜視図である。
【図３】実施形態の植木鉢用カバーを寝かせた状態を示す斜視図である。
【図４】実施形態の植木鉢用カバーの上面図であり、上下方向で貫通している様を示す図である。
【図５】サイズの異なる植木鉢に実施形態の植木鉢用カバーを被せたときの状態を示す図である。
【図６】サイズの異なる植木鉢に実施形態の植木鉢用カバーを被せたときの、隆起部位の状態を示す図である。
【図７】隆起部位を別の形状にした場合の植木鉢用カバーを例示する図である。
【図８】サイズの異なる植木鉢に図７に示す植木鉢用カバーを被せたときの状態を示す図である。
【考案を実施するための形態】
【００１２】
以下、本実施形態の植木鉢用カバーについて、図面を参照しつつ説明する。尚、図面内に示される「上下方向」については、各図面で共通した方向となっているが、「左右方向」については、各図面に示される上下方向を基準としてその垂直横方向に設けられるものとする。また、必要に応じて上下方向を「縦方向」と表記し、左右方向を「横方向」と表記する。隆起部位１０１など、連続して多数存在する部位については、代表的なものに対してのみ符号を付している。
【００１３】
図１（Ａ）は、実施形態の植木鉢用カバー１０を側面方向から視認した場合の図（＝側面図）であり、図１（Ｂ）は、図１（Ａ）に対応する無端筒状シート２０の側面図である。尚、無端筒状シート２０は、植木鉢用カバー１０の元となる構造、構成をもつ原型である。すなわち、無端筒状シート２０に対して後述の絞り加工を施すことで、植木鉢用カバー１０が製造される。
【００１４】
また、図２（Ａ）に植木鉢用カバー１０の上方斜視図、図３（Ａ）に植木鉢用カバー１０を寝かせた状態を示す斜視図、図４（Ａ）に植木鉢用カバー１０を上方より視認した場合の上面図をそれぞれ示す。加えて、これら各図面と同じ方向で視認した場合の無端筒状シート２０を、図２（Ｂ）、図３（Ｂ）、図４（Ｂ）にそれぞれ示す。尚、図３（Ａ）では、同図面内に示す領域Ｒの拡大図も図示している。
【００１５】
植木鉢用カバー１０は、植木鉢の側面を覆うためのカバーである。植木鉢用カバー１０のシートの材質は、例えばポリエステル製とするが、ある程度形状を固定することができる材質であって、後述する絞り加工を施すことのできる材質であればよい。また、植木鉢用カバー１０の一つの態様例として、非透過性のシート素材を採用したり、厚手のシートを採用したり、白色系統ではなく黒色系統の濃い色（黒色そのものや、濃い赤色、濃紺色、深緑色など）を採用したりするなど、透過を遮る処置が施されてもよい。このようにすることで、植木鉢用カバー１０で覆った際に、被覆対象の植木鉢の側面が透けて、植木鉢側面の色や模様などが目視できてしまうのを防止することができる。
【００１６】
植木鉢用カバー１０は、シートの端部同士を繋ぎ目２０２で相互に繋げた無端筒状となっており、上下方向に開口部を有し貫通した形状となっている。この上下方向の開口部を、それぞれ上側開口部１１０、下側開口部１２０と称する。また植木鉢用カバー１０の絞り加工前の原型である無端筒状シート２０において、その上下方向の両端部（上側開口部１１０、下側開口部１２０の付近）は、補強やシートの生地を整えるための端縫い２０１が施されている。
【００１７】
本実施形態の植木鉢用カバー１０には、隆起部位１０１が形成されている。隆起部位１０１は、植木鉢用カバー１０のシートの全面を占めるように多数形成されている。また、隆起部位１０１が形成されている外側面の裏面（内側面）には、隆起部位１０１の各隆起に応じた窪み部１０２が形成される。
【００１８】
隆起部位１０１のそれぞれは、シートの局部を絞り出し、当該絞り出した形状で固定させたものである。本実施形態では、図３（Ａ）の領域Ｒの拡大図に示すように、高さ寸法Ｈ０が約１０〜１５ｍｍ程度となるように、幅寸法Ｗ０が５〜１０ｍｍ程度となるように隆起部位１０１を設ける。尚、このように局所的な隆起部位を多数形成する技法は、「絞り」などと呼ばれており、本実施形態では、その中の「唄絞り（ばいしぼり）」の技法により、隆起部位１０１を設けるものとする。
【００１９】
次に、図１〜図４で示した植木鉢用カバー１０および無端筒状シート２０の製造手法について説明する。
（工程１）  まず、ポリエステルのシートを好適なサイズで裁断する。本実施形態では、植木鉢用カバー１０（＝完成形）の上下方向の寸法が８ｃｍ〜１０ｃｍ程度となるように、筒の周長が１８ｃｍ〜２０ｃｍ程度となるように、シートを裁断する。
（工程２）  シート面の上下方向の端部に対し、それぞれ端縫い２０１を施す。
（工程３）  シート面の左右方向の両端を連結し、繋ぎ目２０２で繋ぎ合わせることで無端の筒状にする。ここまでの工程で、無端筒状シート２０が形成される。
（工程４）  無端筒状シート２０のシート面の局部を摘まむか、もしくは裏面から突き出すことで隆起部位１０１の形にし、この形状を維持するように、根本から先端１１１に向けて螺旋状に糸で括って固定する。この作業は、シートの全面に隆起部位１０１を設けるまで繰り返し行われる。またここでは、隆起部位１０１の形にする際、ねじりを加えることで「唄絞り」の形状にする。
（工程５）  隆起部位１０１をシート全面に設けた後、熱湯に入れて数分間煮る。本実施形態では、９０℃の温度で１５分程度煮るものとする。
（工程６）  その後、蒸気で蒸す。本実施形態では、１３０℃の温度で、３０分程度蒸すものとする。
（工程７）  蒸した後、３０分程度乾燥させてから、固定用の糸を解く。
（工程８）  １時間程度干して自然乾燥させることで、植木鉢用カバー１０が完成する。
【００２０】
上述の工程４〜７により隆起部位１０１が形成される。また工程４〜７により隆起部位１０１の形状が記憶されるため、たとえシートが引き延ばされて隆起部位１０１が変形しても、この引き延ばしが解除されると、元の形状に復元するようになる（引き延ばしの負荷をかけすぎて元の形状に戻らなくなる塑性変形については、ここでは考慮しない）。
【００２１】
引き続き、植木鉢に植木鉢用カバー１０を被せる態様について図５を用いて説明する。図５（Ａ）は、サイズの異なる被覆対象の植木鉢３０、３１を示す模式図であり、図５（Ｂ）は、植木鉢３０、３１のそれぞれに、同一サイズの植木鉢用カバー１０を被せた状態を図示している。また図５（Ｃ）は、植木鉢３１に植木鉢用カバー１０を被せたときの断面図である。
【００２２】
植木鉢用カバー１０は、植木鉢３０、３１の側面を覆うように被せられるが、このように筒形状の側面で植木鉢３０、３１の側面を覆った状態で、植木鉢用カバー１０の上下が開口した状態となる。植木鉢用カバー１０の上方側が開口しているため、この上側開口部１１０を介して観葉植物を外部に露出させることができ、且つ、何の妨げもなく観葉植物に水や肥料を撒くことができる。
【００２３】
また、上側開口部１１０を介して観葉植物に水を撒くと、余剰分の水が下側に設けられる受け皿（不図示）まで到達して排出される。この排出の妨げにならないように、植木鉢用カバー１０の下側にも下側開口部１２０を設けている。
【００２４】
本実施形態の植木鉢用カバー１０は、図５に示すように、様々なサイズの植木鉢に対し適用させることができる。このことについて、図６を用いて説明する。
【００２５】
図６（Ａ）は、小さいサイズの植木鉢３０に植木鉢用カバー１０を被せた場合の隆起部位１０１の状態を示す図である。また図６（Ｂ）は、大きいサイズの植木鉢３１に植木鉢用カバー１０を被せた場合の隆起部位１０１の状態を示す図である。
【００２６】
まず、小さいサイズの植木鉢３０に植木鉢用カバー１０を被せる場合、シートの面積を少し広げる必要があるため、隆起部位１０１の幅寸法は、何も負荷をかけていない状態の幅寸法Ｗ０（図３参照）よりも延びてＷ１となる。一方、この延びた分を補うため、隆起部位１０１の高さ寸法が低くなり、Ｈ０からＨ１に変化して平たくなる。
【００２７】
大きいサイズの植木鉢３１に植木鉢用カバー１０を被せる場合、さらにシートの面積を広げる必要があるため、隆起部位１０１の幅寸法Ｗ２（図６（Ｂ）参照）は、図６（Ａ）に示す幅寸法Ｗ１に比べてさらに延びることとなる。この延びた分は、隆起部位１０１の高さ寸法により補われる。すなわち隆起部位１０１は、その高さ寸法がＨ１よりも低いＨ２に変化して、さらに平たくなる。
【００２８】
このように、植木鉢用カバー１０のシート面が縦方向もしくは横方向のいずれか若しくは両方に引き延ばされると、隆起部位１０１は、この引き延ばしに応じるため、引き延ばしの方向に広がって平たくなる。
【００２９】
また、大きいサイズの植木鉢３１に暫く被せた後に、植木鉢用カバー１０を取り外しても、隆起部位１０１は元の形状（塑性変形を考慮しない場合は図３に示す高さ寸法＝Ｈ０、幅寸法＝Ｗ０）に復元することができる。よって、小さいサイズの植木鉢３０用のカバーとして再利用することができる。
【００３０】
本実施形態の植木鉢用カバー１０では、局部的な隆起部位１０１をカバー全面に設けた。これにより、植木鉢用カバー１０を被せた植木鉢の側面には、周期的な凹凸形状が形成されるため、外観上際立った特徴を持たせることができる。よって、複数の植木鉢にそれぞれ植木鉢用カバー１０を被せた場合、当該凹凸形状が各植木鉢を視覚的に関連付ける共通項となり、デザインの統一性を持たせることができる。
【００３１】
また、植木鉢用カバー１０の色を統一させることも当然可能であることから、同じ色の植木鉢用カバー１０を複数用意し、これらを各植木鉢に被せることで、更に統一性を持たせることができる。
【００３２】
＜上下側の開口部の絞りについて＞
上述の構成に加え、端縫い２０１を施す際、上側開口部１１０、下側開口部１２０の各開口部に沿って周回するようにストレッチテープ（＝弾性部材）を這わせてもよい。ストレッチテープを各開口部に沿って這わせることで、上下それぞれの開口部が閉じるように付勢される。このようにすることで、例えば上下の端が中央部よりもすぼんでいるデザインの植木鉢などにも適用しやすくなる。尚、上側開口部１１０、下側開口部１２０の両方にストレッチテープを這わせてもよいし、いずれか一方にのみ這わせてもよい。
【００３３】
＜隆起部位の他の形状＞
隆起部位に関し、ここまでは「唄絞り」の技法により設けるものとして説明しているが、これ以外であってもよい。図７に示す植木鉢用カバー１０Ａは、「ボタン絞り」による隆起部位１０１Ａを全面に設けたものである。尚、図７（Ａ）は植木鉢用カバー１０Ａの側面図、図７（Ｂ）は上方斜視図、図７（Ｃ）は寝かせた状態の斜視図、図７（Ｄ）は上面図をそれぞれ図示している。また図８に、サイズの異なる植木鉢３０、３１に、同一サイズの植木鉢用カバー１０Ａを被せた状態を示す。
【００３４】
このように「ボタン絞り」により形成した隆起部位１０１Ａであっても、シートを伸縮自在とすることができるため、様々な植木鉢に植木鉢用カバー１０Ａを適用させることができる。尚、絞りとしては、これら以外にも、例えば「三浦絞」、「疋田絞」、「帽子絞」、「桶絞」、「針疋田絞」、「針一目絞」、「一目絞」、「縫締絞」、「板締絞」、「縫い〆絞」、「人目絞」などの様々な技法がある。伸縮の程度には差が出るものの、いずれの技法も本実施形態の態様に適用させることができる。
【００３５】
本実施形態では、植木鉢用カバーの全面に、隆起部位を占めるように設けているが、植木鉢用カバーのシート面の一部分に、隆起部位を占めるように設けてもよい。
【００３６】
上述の説明では、サイズや寸法などを具体的な数値で示している箇所があるが、あくまでも例示であり、これらの各数値に限定されない。
【００３７】
以上、本実施形態により、様々な植木鉢を覆うことができる伸縮自在の植木鉢用カバーを提供するとともに、被覆対象の植木鉢の表面に特殊な形状を付与することで、外観上の統一を図ることができる。
【００３８】
本考案は、その精神または主要な特徴から逸脱することなく、他の様々な形で実施することができる。そのため、前述の実施形態はあらゆる点で単なる例示に過ぎず、限定的に解釈してはならない。本考案の技術的範囲は、実用新案登録請求の範囲によって示すものであって、明細書本文には、なんら拘束されない。更に、実用新案登録請求の範囲の均等範囲に属する全ての変形、様々な改良、代替及び改質は、すべて本考案の範囲内のものである。
【符号の説明】
【００３９】
１０、１０Ａ：植木鉢用カバー、２０：無端筒状シート、３０、３１：植木鉢、
１０１、１０１Ａ：隆起部位、１０２：窪み部、１１０：上側開口部、１１１：先端、
１２０：下側開口部、２０１：端縫い、２０２：繋ぎ目。
【図１】
0003229673.tif 000003
【図２】
0003229673.tif 000004
【図３】
0003229673.tif 000005
【図４】
0003229673.tif 000006
【図５】
0003229673.tif 000007
【図６】
0003229673.tif 000008
【図７】
0003229673.tif 000009
【図８】
0003229673.tif 000010